(57)【要約】【課題】カメラ付き携帯電話機等のカメラ付き電子機器やデジタルカメラ、使い捨てカメラ等のカメラ機器の光学系に接写撮影用レンズ等の補助レンズを容易に付加することができ、被写体との距離に合わせて焦点距離等を変更することができるようにするカメラ機器用補助レンズアダプタ装置の提供。【解決手段】カメラ機器１の光学系に付加する補助レンズ本体２と、補助レンズ本体２の外周より突出した引き剥がし操作用突片３と、補助レンズ本体２をカメラ機器１の光学系の入光口周縁前面に引き剥がし可能に粘着保持させる粘着部材４とを備える。【選択図】    図１
2004199014.tif 000002
【特許請求の範囲】
【請求項１】
カメラ機器の光学系に付加する補助レンズ本体と、該補助レンズ本体の外周より突出した引き剥がし操作用突片と、前記補助レンズ本体をカメラ機器の光学系の入光口周縁前面に引き剥がし可能に粘着保持させる粘着部材とを備えてなるカメラ機器用補助レンズアダプタ装置。
【請求項２】
補助レンズ本体は、粘着部材側の面が平面又は凹面である請求項１に記載のカメラ機器用補助レンズアダプタ装置。
【請求項３】
補助レンズ本体及び引き剥がし操作用突片は、合成樹脂材料をもって成形され、前記補助レンズ本体の周縁に前記引き剥がし操作用突片を一体成形してなる請求項１又は２に記載のカメラ機器用補助レンズアダプタ装置。
【請求項４】
粘着部材は、補助レンズ本体の片面に貼着した両面粘着テープ材である請求項１、２又は３に記載のカメラ機器用補助レンズアダプタ装置。
【請求項５】
表面側に粘着部材を介して補助レンズ本体を引き剥がし可能に粘着保持可能なレンズ保持部を有し、裏面側にカメラ機器表面に貼着する貼着部を有し、中央にカメラ機器の光学系の入光口に連通する透光部を有するシート状の入光口周縁部用レンズ保持台を備えてなる請求項１〜３又は４に記載のカメラ機器用補助レンズアダプタ装置。
【請求項６】
表面側に粘着部材を介して補助レンズ本体を引き剥がし可能に粘着保持可能なレンズ保持部を有し、裏面側にカメラ機器表面に貼着する貼着部を有するシート状の不使用時用レンズ保持台を備え、該不使用時レンズ保持台をカメラ機器表面の適宜位置に貼着して補助レンズを保持させることができるようにしてなる請求項１〜４又は５に記載のカメラ機器用補助レンズアダプタ装置。
【請求項７】
レンズ保持台は、ＰＥＴ樹脂をもって形成された請求項６又は７に記載のカメラ機器用補助レンズアダプタ装置。
【請求項８】
レンズ保持部は、粘着部材をその接着性を損なわないで剥離可能とする処理が施された請求項５、６又は７に記載のカメラ機器用補助レンズアダプタ装置。
【発明の詳細な説明】
【０００１】
【発明の属する技術分野】
本発明は、主にカメラ付き携帯電話機等のカメラ付き電子機器、デジタルカメラ、レンズ付きフィルムユニット（使い捨てカメラ）等のカメラ機器の光学系に接写撮影用レンズ等の補助レンズを容易に付加することができるカメラ機器用補助レンズアダプタ装置に関する。
【０００２】
【従来の技術】
従来、手軽に写真撮影が行えるものとして、レンズ付きフィルムユニット（使い捨てカメラ）や、構造を簡素化することによって低価格化がなされた廉価版のデジタルカメラ等が提供されている。
【０００３】
一方、近年ではカメラ技術の発展に伴い、カメラの小型化が進み、携帯電話機等の比較的小型で持ち運びに便利な電子機器にカメラ装置を内蔵したものが提供されており、益々手軽に写真撮影が楽しめるようになっている。
【０００４】
【発明が解決しようとする課題】
しかし、上述のような従来の安価なカメラや、カメラ付き電子機器等のカメラ機器では、価格上の問題或いは小型化による構造上の問題から、ズーム・レンズ等を備えたような高性能カメラとは異なり、標準的な撮影範囲での撮影にしか対応しておらず、例えば、至近距離から小さな被写体像を撮影しようとするような場合に、被写体との距離と焦点距離とが合わず、焦点の位置をＣＣＤ等の撮像手段の位置に合わせることができずピンぼけになってしまうという問題があった。
【０００５】
本発明は、このような従来の技術の状況を鑑み、カメラ機器の光学系に接写撮影用レンズ等の補助レンズを容易に付加することができ、被写体との距離に合わせて焦点距離等を変更することができるようにするカメラ機器用補助レンズアダプタ装置の提供を目的とする。
【０００６】
【課題を解決するための手段】
上述の如き従来の問題を解決し、所期の目的を達成するための本発明に係るカメラ機器用補助レンズアダプタ装置の特徴は、カメラ機器の光学系に付加する補助レンズ本体と、該補助レンズ本体の外周より突出した引き剥がし操作用突片と、前記補助レンズ本体をカメラ機器の光学系の入光口周縁前面に引き剥がし可能に粘着保持させる粘着部材とを備えたことを特徴とする。
【０００７】
このように構成することによって、カメラ機器の光学系に容易に接写撮影用レンズ等の補助レンズを付加することができ、構造的或いは価格的事情から標準的なレンズしか持たないカメラ機器であっても被写体との距離に合わせて多様な撮影パターンを得ることができる。
【０００８】
請求項２の発明は、請求項１の構成に加え、補助レンズ本体が、粘着部材側の面が平面又は凹面であることを特徴とする。
【０００９】
このように構成することによって、粘着部材を好適に補助レンズ本体に粘着させることができる。
【００１０】
請求項３の発明は、請求項１又は２の構成に加え、補助レンズ本体及び引き剥がし操作用突片が、合成樹脂材料をもって成形され、前記補助レンズ本体の周縁に前記引き剥がし操作用突片を一体成形してなることを特徴とする。
【００１１】
このように構成することによって、部品点数を減らすことができる。
【００１２】
請求項４の発明は、請求項１、２又は３の構成に加え、粘着部材が、補助レンズ本体の片面に貼着した両面粘着テープ材であることを特徴とする。
【００１３】
このように構成することによって、補助レンズ本体を好適且つ容易にカメラ機器の光学系の入光口周縁前面に引き剥がし可能に粘着保持させることができる。
【００１４】
請求項５の発明は、請求項１〜３又は４の構成に加え、表面側に粘着部材を介して補助レンズ本体を引き剥がし可能に粘着保持可能なレンズ保持部を有し、裏面側にカメラ機器表面に貼着する貼着部を有し、中央にカメラ機器の光学系の入光口に連通する透光部を有するシート状の入光口周縁部用レンズ保持台を備えてなることを特徴とする。
【００１５】
このように構成することによって、カメラ機器の光学系の入光口前面に好適に補助レンズを装着することができる。
【００１６】
請求項６の発明は、請求項１〜４又は５の構成に加え、表面側に粘着部材を介して補助レンズ本体を引き剥がし可能に粘着保持可能なレンズ保持部を有し、裏面側にカメラ機器表面に貼着する貼着部を有するシート状の不使用時用レンズ保持台を備え、該不使用時レンズ保持台をカメラ機器表面の適宜位置に貼着して補助レンズを保持させることができるようにしてなることを特徴とする。
【００１７】
このように構成することによって、紛失し易い小型の補助レンズ本体を好適に保管することができる。
【００１８】
請求項７の発明は、請求項６又は７の構成に加え、レンズ保持台は、ＰＥＴ樹脂をもって形成されたことを特徴とする。
【００１９】
このように構成することによって、粘着部材を剥がした際にレンズ保持台の表面部に粘着剤等の粘着部材の接着成分が残存することなく、好適に補助レンズ本体を取り外すことができる。
【００２０】
請求項８の発明は、請求項５、６又は７の構成に加え、レンズ保持部は、粘着部材をその接着性を損なわないで剥離可能とする処理が施されたことを特徴とする。
【００２１】
このように構成することによって、接着性を損なわないので何度でも着脱して使用することができ、粘着部材を剥がした際にレンズ保持台の表面部に粘着剤等の粘着部材の接着成分が残存することなく、好適に補助レンズ本体を取り外すことができる。
【００２２】
【発明の実施の形態】
次に、本発明に係るカメラ機器用補助レンズアダプタ装置の実施の形態を図１〜図４について説明する。
【００２３】
図１は、本発明に係るカメラ機器用補助レンズアダプタ装置を使用した例を示し、図中符号１はカメラ機器であるカメラ付き携帯電話機である。
【００２４】
このカメラ機器用補助レンズアダプタ装置は、補助レンズ本体２と、補助レンズ本体２の外周より突出した引き剥がし操作用突片３と、粘着部材４とを備え、粘着部材４を介して補助レンズ本体２をカメラ機器１の光学系の入光口周縁前面に粘着保持させることによって、補助レンズ体２をカメラ機器の光学系に付加する。
【００２５】
補助レンズ本体２と、補助レンズ本体２の外周より突出した引き剥がし操作用突片３とは、図２に示すように、ＰＥＴ（ポリエチレンテレフタート）樹脂、ポリカーポ等の透光性を有する合成樹脂材料をもってモールド成形により一体に成形されている。
【００２６】
補助レンズ本体２は、球面状に形成された凸面２ａの反対側、即ち粘着部材側に平面部２ｂを有する形状の平凸レンズ型に形成されている。
【００２７】
この補助レンズ本体２は、機能（望遠、広角、接写（マクロ）等）に合わせて好適な形状及び屈折率を有し、カメラ機器の光学系に付加することにより、被写体との距離に対応した焦点距離が得られるようになっている。例えば、補助レンズ本体２が接写撮影機能（マクロ機能）に適した屈折率を有する平凸レンズであれば、この補助レンズ本体２をカメラ機器の光学系に付加することによって、カメラ機器の焦点距離が短縮され、至近距離から撮影しても拡大効果が得られ、微細な被写体を好適に撮影することができる。
【００２８】
引き剥がし操作用突片３は、薄い平板状に形成され、補助レンズ本体２の外周縁の平面部２ｂ側端部より補助レンズ本体平面２ｂ部の半径方向外側に向かって一体に突出されている。
【００２９】
この補助レンズ本体の平面部２ｂには、図３に示すように、その外縁に沿って粘着部材４が貼り付けられている。
【００３０】
この粘着部材４は、両面粘着テープ材をもって構成され、一方の粘着面を補助レンズ本体の片面、即ち平面部２ｂ外縁に貼着させ、他方の粘着面をカメラ機器の光学系の入光口周縁前面に貼着させて補助レンズ本体２をカメラ機器１の光学系の入光口周縁前面に粘着保持させるようになっている。
【００３１】
尚、補助レンズ本体２が全くの未使用状態の場合には、粘着部材４のカメラ機器側粘着面４ａに粘着剤の接着性を損なわずに剥離可能な保護紙５が貼り付けられており、使用時には、その保護紙５を剥がして使用するようになっている。
【００３２】
この粘着部材（両面粘着テープ材）４は、円環状に形成されており、その中空円部４ｂの直径は、補助レンズ本体２をカメラ機器に装着した際に、撮影に支障が無い大きさ、即ち、粘着部材４がカメラ機器の光学系の入光口に被さらない程度の大きさとなっている。
【００３３】
カメラ機器の光学系の入光口周縁前面には、シート状の入光口周縁部用レンズ保持台６を備え、補助レンズ本体２は、この入光口周縁部用レンズ保持台６に粘着部材４を介して貼着されることによって、カメラ機器の光学系に付加されるようになっている。
【００３４】
入光口周縁部用レンズ保持台６は、ＰＥＴ（ポリエチレンテレフタート）樹脂により円環状に形成され、表面側に粘着部材を引き剥がし可能に粘着保持可能なレンズ保持部を有し、裏面側にカメラ機器表面に貼着する貼着部を有し、中央にカメラ機器の光学系入光口と連通する透孔部６ａを有する。
【００３５】
レンズ保持部、即ちレンズ保持台６の表面部には、シリコンコーティング処理等、粘着部材４をその接着性を損なわないで剥離可能とする処理が施されている。
【００３６】
また、図４に示すように、シート状の不使用時用レンズ保持台７をカメラ機器であるカメラ付き携帯電話機１の表面の適宜位置（図中ではカメラ付き携帯電話機１の裏側のバッテリー用蓋部の外面）に両面粘着テープ等の貼着部材を介して貼り付けることによって、補助レンズ本体２を使用しない時に不使用時用レンズ保持台７に粘着保持させて保管することができる。
【００３７】
不使用時用レンズ保持台７は、ＰＥＴ（ポリエチレンテレフタレート）樹脂により円環状或いは円形に形成され、表面側に粘着部材４を引き剥がし可能に粘着保持可能なレンズ保持部を有し、裏面側にカメラ機器表面に貼着する貼着部を有している。
【００３８】
また、レンズ保持部、即ちレンズ保持台７の表面部には、シリコンコーティング処理等、粘着部材４をその接着性を損なわないで剥離可能とする処理が施されている。
【００３９】
このように構成されたカメラ機器用補助レンズアダプタ装置では、補助レンズ本体２が粘着部材（両面粘着テープ）４を入光口周縁部用レンズ保持台６の表面側に貼着させることにより、補助レンズ本体２が好適に位置決めされ、補助レンズ本体２をカメラ機器１の光学系の入光口周縁部前面に粘着保持させることができ、被写体との距離に対応した最適な焦点距離が得られる。
【００４０】
また、補助レンズ本体２を取り外す際には、引き剥がし操作用突片３を指で摘んで簡単に引き剥がすことができ、また、引き剥がし操作用突片３を指で摘めなくとも、補助レンズ本体２とカメラ機器１の表面との間に粘着部材４、レンズ保持台６（７）、貼着部材が重なり合っているので、引き剥がし操作用突片３とカメラ機器１の表面との間に微小の隙間ができ、その隙間から指の爪等を挿入して引き剥がし操作用突片３の裏面に引っ掛けることで簡単に補助レンズ本体２をレンズ保持台６（７）から引き剥がすことができる。
【００４１】
更に、レンズ保持部にシリコンコーティング処理が施されているので、レンズ保持部には、粘着部材４の粘着剤が残存せずに剥離され、その接着性が損なわれないようになっている。
【００４２】
尚、上述の実施例では、補助レンズ本体２と引き剥がし操作用突片３とを樹脂材料により一体成形した例について説明したが、図５に示すように、補助レンズ本体１０と、引き剥がし操作用突片１１を有するシート部材１２とを別に備え、シート部材１２を補助レンズ本体１０の粘着部材側面に貼着することによって補助レンズ本体１０の外周より引き剥がし操作用突片１１が突出するようにしてもよい。
【００４３】
シート部材１２は、図６に示すように、円環状の取付部１３と、取付部１３の外縁より突出した引き剥がし操作用突片１１とが一体化された一枚のシート状に形成されている。
【００４４】
取付部１３の円環中空孔１３ａは、カメラ機器１の光学系の入光口と連通し、撮影の邪魔にならないようになっている。
【００４５】
そして、この取付部１３の裏面側に粘着部材４を貼着させ、補助レンズ本体１０をシート部材１２及び粘着部材４を介してカメラ機器１の光学系の入光口周縁部前面或いはカメラ機器１の表面に粘着保持させるようになっている。
【００４６】
尚、上述の実施例では、補助レンズ本体をモールド成型により形成した例について説明したが、透光性を有する樹脂材料を研削、研磨等を行うことによって形成するなど他の方法で形成してもよく、ガラス材等の合成樹脂製以外の材料を用いてもよい。
【００４７】
また、上述の実施例では、補助レンズ本体を平凸レンズとした例について説明したが、補助レンズ本体は、機能（望遠、広角、接写（マクロ）等）に合わせて凸レンズ、凹レンズ、１枚の単一レンズの他、張り合わせた複合レンズ等としてもよい。
【００４８】
また、上述の実施例では、粘着部材４として両面粘着テープ材を用いた例について説明したが、補助レンズ本体２の粘着部材側面に直接粘着剤を塗布して粘着剤層を形成し、該粘着剤層をもって粘着部材とする等、他の方法で粘着部材を形成してもよい。
【００４９】
更に、粘着部材４には、ほこり等が付着して粘着力が低下しても、水や洗剤で洗えば元の粘着力に復元するポリウレタン等の非移行性の粘着剤（特殊粘着エラストマー）を使用し、繰り返し使用できるようにしてもよい。
【００５０】
尚、カメラ機器とは、一般的なカメラ、デジタルカメラ、レンズ付きフィルム（使い捨てカメラ）等のようにカメラ単独のものや、カメラ付き携帯電話機、その他のカメラ付き機器等のように他の機器に撮影機能を組み込んだものの全てを指しており、上述の実施例ではカメラ付き携帯電話機を例に説明したが、その他のカメラ機器全てに適用することができる。
【００５１】
【発明の効果】
上述のように、本発明に係るカメラ機器用補助レンズアダプタ装置は、カメラ機器の光学系に容易に接写撮影用レンズ等の補助レンズを加えることができ、構造上又は価格上の問題から標準的なレンズしか持たないカメラ機器であっても状況に応じて好適な焦点距離を得ることができ（例えば、接写撮影用であれば焦点距離を短縮することができ）、また、容易に着脱式レンズ体を取り外して元の状態に戻すこともできる。
【００５２】
しかも、構造が補助レンズ本体、引き剥がし操作用突片、粘着部材からなる簡素な構成となっているので安価であり、更に、既存のカメラ機器に容易に適用することができる。
【００５３】
また、入光口周縁部用レンズ保持台を用いることによって、補助レンズ本体を好適にカメラ機器の光学系に加えることができる。
【００５４】
また、不使用時レンズ保持台をカメラ機器の適宜位置に設けることによって、小型で紛失し易い着脱式レンズ体を好適に保管することができる。
【００５５】
さらに、入光口周縁部用レンズ保持台及び不使用時用レンズ保持台のレンズ保持部に粘着部材をその接着性を損なわないで剥離可能にする処理を施すことによって、何度でも着脱式レンズ体の着脱を行うことができる。
【図面の簡単な説明】
【図１】本発明に係るカメラ機器用補助レンズアダプタ装置の実施の一例を示す斜視図である。
【図２】（ａ）は図１中の補助レンズ本体を示す平面図、（ｂ）は同縦断面図である。
【図３】同上の補助レンズ本体に粘着部材を貼り付けた状態を示す斜視図である。
【図４】補助レンズ本体を保管用支持部に支持させた状態を示す斜視図である。
【図５】本発明に係るカメラ機器用補助レンズアダプタ装置の実施の一例を示す斜視図である。
【図６】同上のシート部材を示す平面図である。
【符号の説明】
１  カメラ機器（カメラ付き携帯電話機）
２  補助レンズ本体
３  引き剥がし操作用突片
４  粘着部材（両面粘着テープ材）
５  保護紙
６  入光口周縁部用レンズ保持台
７  不使用時用レンズ保持台
１０  補助レンズ本体
１１  引き剥がし操作用突片
１２  シート部材
１３  取付部
１３ａ  中空孔
【図１】
2004199014.tif 000003
【図２】
2004199014.tif 000004
【図３】
2004199014.tif 000005
【図４】
2004199014.tif 000006
【図５】
2004199014.tif 000007
【図６】
2004199014.tif 000008